(57)【要約】【課題】  高圧主回路の電磁的影響や使用環境の影響を受けにくく、補助スイッチ端子部に外部回路と直接結線が可能な開閉装置を得る。【解決手段】  開閉器本体の接点を含む主回路を収容した絶縁フレーム１、開閉器本体の上記接点を接離させる操作機構を収容し、接地された金属製メカフレーム４、及び、開閉器本体の上記接点の動作に応じて動作する補助スイッチ５を備えるものにおいて、上記メカフレーム４内に、上記補助スイッチ５をその端子部６を露出させて設置した。【選択図】図１
2006092929.tif 000002
【特許請求の範囲】
【請求項１】
開閉器本体、
開閉器本体の接点を含む主回路を収容した絶縁フレーム、
開閉器本体の上記接点を接離させる操作機構を収容し、接地された金属製メカフレーム、及び、開閉器本体の上記接点の動作に応じて動作する補助スイッチを備えるものにおいて、
上記メカフレーム内に、上記補助スイッチをその端子部を露出させて設置したことを特徴とする開閉装置。
【請求項２】
露出させた上記補助スイッチの端子部を、上記メカフレームの外周面に対して傾斜させて設置したことを特徴とする請求項１記載の開閉装置。
【発明の詳細な説明】
【技術分野】
【０００１】
この発明は、受配電設備に使用される開閉装置に関し、特に、その補助スイッチの取付構造に係わるものである。
【背景技術】
【０００２】
開閉器本体に付属し、開閉器本体の接点の動作（可動接点と固定接点の接離）に応じて動作する補助スイッチは、開閉器本体の接点を含む主回路を収容した絶縁フレームに取り付けられている（特許文献１参照）。
また、開閉器本体の接点を接離させる操作機構を収容するメカフレームの側面に取り付けられている。
【０００３】
さらには、メカフレームの内部に取り付けられることもある。図４は従来の開閉装置を示す斜視図である。図において、絶縁フレーム１の内部には、例えば、可動接点と固定接点を有する真空スイッチ（図示せず）を含む主回路を収容している。絶縁フレーム１から外部に導出された固定側端子２と可動側端子３を有している。メカフレーム４の内部には、真空スイッチの接点を接離させる操作機構（図示せず）が収容されている。補助スイッチ５は、メカフレーム４の内部に設置されており、真空スイッチの接点の動作に応じて動作し、関連する制御回路（図示せず）を制御する。６は、補助スイッチ５の端子部であり、その端子部と外部の制御回路とを接続するための中継端子台７がメカフレーム４の外周面に設置されている。８は端子部６から、メカフレーム４に設けた開口９を通ってリード線を外部に導出し中継端子台７と接続する結線である。
【０００４】
【特許文献１】特開２００２−９３３０１号公報（第３頁、図１）
【発明の開示】
【発明が解決しようとする課題】
【０００５】
補助スイッチが、主回路を収容した絶縁フレームや、操作機構を収容するメカフレームの側面に取り付けられる場合は、高圧主回路の電磁的影響や使用環境（ほこりや異物の存在）の影響を受け易い問題点があった。
また、補助スイッチが、図４のように、操作機構を収容するメカフレームの内部に取り付けられる場合は、メカフレーム外部に中継端子台を設け、補助スイッチ端子部との間を結線する必要があり、部品点数や組立工数が増加する問題点があった。
この発明は、上記のような問題点を解消するためになされたもので、高圧主回路の電磁的影響や使用環境（ほこりや異物の存在）の影響を受けにくく、補助スイッチ端子部に直接結線か可能な開閉装置を得ることを目的とする。
【課題を解決するための手段】
【０００６】
この発明に係わる開閉装置は、開閉器本体、この開閉器本体の接点を含む主回路を収容した絶縁フレーム、開閉器本体の上記接点を接離させる操作機構を収容し、接地された金属製メカフレーム、及び、開閉器本体の上記接点の動作に応じて動作する補助スイッチを備えるものにおいて、上記メカフレーム内に、上記補助スイッチをその端子部を露出させて設置したものである。
【発明の効果】
【０００７】
この発明の開閉装置によれば、メカフレーム内に、補助スイッチをその端子部を露出させて設置したので、高圧主回路の電磁的影響や使用環境の影響を受けにくく、補助スイッチ端子部に外部回路と直接結線が可能な開閉装置を得ることができる。
【発明を実施するための最良の形態】
【０００８】
実施の形態１．
図１はこの発明の実施の形態１である開閉装置を示す斜視図、図２は図１の絶縁フレーム内の構成の一例を示す構成図である。図２では、絶縁フレーム１とメカフレーム４の輪郭を一点鎖線で示すと共に、固定側端子と可動側端子を省略して示している。図において、真空スイッチ（真空バルブ）１１は、円筒状の真空容器に、接点を有する固定電極１２と接点を有する可動電極１３とが配置されて収容されている。真空スイッチ１１の固定電極１２には、その軸線に対し垂直方向に伸びて外部に導出される固定側端子２（図１）の一端側が接続され、この固定側端子２が絶縁フレーム１に固定されることにより、真空スイッチ１１が絶縁フレーム１に支持されている。
【０００９】
また、真空スイッチ１１の可動電極１３には、可撓導体を介して可動側端子３（図１）の一端側が接続され、可動側端子３の他端側は絶縁フレーム１を貫通して外部に導出されている。さらに、可動電極１３には同軸上に接圧ロッド１４が連結されている。１５は絶縁操作レバーで、その回動中心に設けた駆動軸１６による回転運動が直線運動に変換されて真空スイッチ１１の可動電極１３が駆動されるようになっている。
【００１０】
開放ばね装置１７は駆動軸１６の一端側近傍に設けられており、開放ばね１８と、開放ばね１８の一端と係合し駆動軸１６に固定されて絶縁操作レバー１５にトルクを伝達するばね蓄勢レバー１９と、開放ばね１４を係合保持すると共に駆動軸１６を回動自在に支承するばね・軸受保持具２０を備えて構成されている。ばね・軸受保持具２０は絶縁フレーム２に取り付けられている。駆動軸１６の他端側には、他端側を回動自在に支承する軸受保持具２１が備えられている。メカフレーム４内には、駆動軸１６を回動させ、真空スイッチ１１の接点を接離する操作機構が収容されている。
【００１１】
図１において、絶縁フレーム１の内部には、上述したように、可動接点と固定接点を有する真空スイッチ１１を含む主回路を収容している。絶縁フレーム１から外部に導出された固定側端子２と可動側端子３を有している。メカフレーム４は、金属製であり、電気的に接地されている。メカフレーム４の内部には、真空スイッチ１１の接点を接離させる操作機構（図示せず）が収容されている。補助スイッチ５は、メカフレーム４の内部に設置されているが、その端子部６がメカフレーム４の表面に露出するように設置されている。補助スイッチ５は、その端子部６と外部の制御回路とが直接接続され、真空スイッチの接点を接離する操作機構の動作に応じて動作し、関連する制御回路（図示せず）を制御する。
【００１２】
補助スイッチ５の端子部６をメカフレーム４の外周面に対して傾斜して設置されるように、補助スイッチカバー２２は、固定側端子２と可動側端子３が導出された絶縁フレーム１の外周面又はメカフレーム４の（図１の状態で）上外周面に対して、ほぼ４５°傾斜させて取り付けられている。２３は補助スイッチカバー２２のコーナーの折曲部である。２４は、補助スイッチ５の端子部６が、露出するように開口させた窓孔である。なお、上述では、補助スイッチカバー２２を設けたが、メカフレーム４を開口して、端子部６を有する補助スイッチ５の外周面を露出させるようにしても良く、構成がより簡単になり、安価になる。
【００１３】
このように、補助スイッチ５は、接地された金属製メカフレーム４の内部に設置されると共に、その端子部６がメカフレーム４の表面に露出するように設置されているので、高圧主回路の電磁的影響や使用環境の影響を受けにくい。さらに、補助スイッチ５の端子部６が露出しているため、中継端子台を設けることなく、端子部６と外部回路を直接接続することができ、部品点数の減少と作業工数の削減を図ることができる。
【００１４】
図３は、露出した端子部６への結線作業の様子を示し、一部分の側面を表す説明図である。固定側端子２には、導体２５が接続されている。メカフレーム４の上方には、盤内器具２６として、開閉器本体へ動作指令を出す計測器類、電流計、電圧計等が配置されている。仮に、補助スイッチ５の端子部６が、メカフレーム４の外周面と同様の面（即ち垂直又は水平）に露出するように取り付けられているとすると、ドライバー２７に対して、導体２５又は盤内器具２６が邪魔になり、作業がし難いか、場合によっては、作業ができない。一方、この発明のように、導体２５と盤内器具２６とに干渉しないように補助スイッチ５の端子部６を傾斜して露出させておくと、例えば、メカフレーム４の外周面（垂直面又は水平面）と４５°傾斜して露出させておくと、ドライバー２７の作業空間が確保でき、補助スイッチ５の端子部６への結線作業が容易となる。
【産業上の利用可能性】
【００１５】
受配電設備に使用される開閉装置で、補助スイッチと外部の制御回路を接続するものに適用して効果をあげることができる。
【図面の簡単な説明】
【００１６】
【図１】この発明の実施の形態１である開閉装置を示す斜視図である。
【図２】図１の絶縁フレーム内の構成の一例を示す構成図である。
【図３】実施の形態１において、露出した端子部６への結線作業の様子を示し、一部分の側面を表す説明図でである。
【図４】従来の開閉装置を示す斜視図である。
【符号の説明】
【００１７】
１  絶縁フレーム                        ２  固定側端子
３  可動側端子                          ４  メカフレーム
５  補助スイッチ                        ６  端子部
７  中継端子台                          ９  開口
１１  真空スイッチ                      １２  固定電極
１３  可動電極                          １４  接圧ロッド
１５  絶縁操作レバー                    １６  駆動軸
１７  開放ばね装置                      １８  開放ばね
１９  蓄勢レバー                        ２０  ばね・軸受保持具
２１  軸受保持具                        ２２  補助スイッチカバー
２３  折曲部                            ２４  窓孔
２５  導体                              ２６  盤内器具
２７  ドライバー。
【図１】
2006092929.tif 000003
【図２】
2006092929.tif 000004
【図３】
2006092929.tif 000005
【図４】
2006092929.tif 000006